(57)【要約】【課題】材質の向上や補強部材の追加をすることなく、上面部分や底面部分のフラップを粘着テープなどの接合部材で接合することなく封緘することができ、高い機械的強度を有する包装箱を提供することができる。【解決手段】前側面部１１、後側面部１２、右側面部１３および左側面部１４からなる側面部と、上面部１５と、底面部１６とを有している。  上面部１５および底面部１６においては、内側フラップおよび外側フラップがそれぞれ重ね合わさる二重構造になっている。右側面部１３においては、各差込フラップが各差込穴に差し込まれて、各折曲片と右側面部１３とが二重構造になっている。左側面部１４においても、各差込フラップが各差込穴に差し込まれて、各折曲片と左側面部１４とが二重構造になっている。【選択図】図１
2013237475.tif 000002
【特許請求の範囲】
【請求項１】
折り曲げて形成される複数の側面部と、隣り合う前記側面部同士を接合する少なくとも１つの接合部と、前記各側面部から折り曲げて底面部を形成する底面フラップ部と、前記各側面部から折り曲げて上面部を形成する上面フラップ部と、
前記側面部から折り曲げて形成され、前記上面フラップ部の内側且つ当該上面フラップ部と対向する上面内側フラップと、
前記側面部から折り曲げて形成され、前記底面フラップ部の内側且つ当該底面フラップ部と対向する底面内側フラップと、
前記底面フラップ部または前記上面フラップ部から折り曲げて形成され、前記側面部の外側且つ当該側面部と対向する折曲片と、
前記側面部に形成され、前記折曲片を差し込む差込穴と、
を備え、
前記折曲片により、前記側面部の高さ方向の全域が覆われることを特徴とする包装箱。
【請求項２】
前記折曲片は、前記底面フラップ部および前記上面フラップ部に設けられ、それぞれ互いに向き合う一対の外側フラップとにより構成され、
前記折曲片の長さが、前記差込穴が形成された側面部の高さの半分の長さで形成されるとともに、前記差込穴が、前記差込穴が形成された側面部の高さ方向の中央部分に形成されたことを特徴とする請求項１に記載の包装箱。
【請求項３】
前記折曲片は、前記底面フラップ部および前記上面フラップ部に設けられ、それぞれ互いに向き合う一対の外側フラップとにより構成され、
前記折曲片の長さが、前記差込穴が形成された側面部の高さと同じ長さで形成されるとともに、前記差込穴が、前記差込穴が形成された前記側面部の高さ方向の端の部分に形成されたことを特徴とする請求項１に記載の包装箱。
【発明の詳細な説明】
【技術分野】
【０００１】
本発明は、包装箱に関し、特に、複写機、プリンタ、紙搬送装置などの製品を包装する包装箱に関する。
【背景技術】
【０００２】
従来、この種の包装箱として、前面部、背面部、右側面部および左側面部からなる４つの側面部と、上面部と、底面部とにより構成されたものが知られている（特許文献１：特開２００５−２７１９８９号公報参照）。
この包装箱は、上面部が、前面部および背面部からそれぞれ折り曲げて形成される内フラップシートと、右側面部および左側面部からそれぞれ折り曲げて形成される外フラップシートとにより構成されている。また、底面部が、前面部、背面部、右側面部および左側面部からそれぞれ折り曲げて形成されたシートにより構成されている。各内フラップシートには差込部が設けられるとともに、各外フラップシートには、折曲片が設けられており、この折曲片が差込部に差し込まれて各内フラップシートに各外フラップシートが固定されるようになっている。したがって、この包装箱においては、上面部が、接着剤が塗布された粘着テープなどの接合部材によって接合する必要がなく、上面部を折り曲げて差し込むだけで封緘することができる。
【０００３】
さらに、この包装箱においては、内フラップシートと前面部および背面部の各折曲部分と、外フラップシートと右側面部および左側面部の各折曲部分に粘着テープなどの損傷保護部材が貼り付けられている。この損傷保護部材により、包装箱を隙間なく、積み込んで輸送した場合などの輸送中に包装箱にかかる横方向や上下方向からの力に対しても印刷などの表示がされた箱外壁面部の損傷が防止されるようになっている。
【０００４】
この他に、それぞれ対向配置された２組の側板と、各側板から延びる底フラップと、各側板の上縁から延びる１組の内フラップおよび外フラップで構成し、各フラップ部分を折り曲げて差し込むだけで封緘するようにしたものもある（特許文献２：実用新案登録３０９２７５４号公報参照）。
また、折り畳んで互いに重ねられる両外側フラップと、各外側フラップに重なる両内側フラップとを有し、両外側フラップに形成された部片と、両内側フラップに形成され、両外側フラップの部片を挿入する挿入穴とにより構成し、各部片を挿入穴に挿入して封緘するようにしたものもある（特許文献３：実用新案登録第３０５２１３４号公報参照）。
また、外蓋と、横蓋とを有し、外蓋の両サイドに設けた差し込み片を横蓋に設けたスリットに差し込むことで封緘するようにしたものもある（特許文献４：実開平０７−０１５５２４号公報参照）。
また、上面部を内蓋と外蓋とで構成し、内蓋に設けた折曲片と外蓋とを押し付けて接合可能にし、外蓋には両側から延び被結合部を有するフラップを設け、包装箱の端面部に設けた結合と被結合部とを結合し封緘するようにしたものもある（特許文献５：登録実用新案第２５９４９５４号公報参照）。
また、４つの側壁と底壁とを有し、各側壁の上端に一対の内フラップと外フラップとを設け、一方の外フラップに形成された延長片を側壁に形成された把手孔に差し込んで結合し封緘するようにしたものもある（特許文献６：実開平０５−００３１１８号公報参照）。
【発明の概要】
【発明が解決しようとする課題】
【０００５】
しかしながら、上述した特許文献１ないし６に記載の各包装箱は、いずれの包装箱においても、次のような問題がある。すなわち、いずれの包装箱においても、上面部に形成されたフラップ部分を粘着テープなどの接合部材で接合することなく封緘できるが、上面部や底面部と比べて各包装箱の側面部分が１枚の単一構造になっているので、外力に対する強度が不十分であるという問題がある。このように側面部分の強度が不十分であると、包装箱を輸送する際に、衝撃などの外力により包装箱の側面部分に損傷が生じてしまうおそれがある。また、包装箱を段積みした際に、自重により、最下段に位置する包装箱が座屈によって潰れてしまう可能性があるという問題がある。このような構造の包装箱の強度を向上させるよう、より高い強度を有する材質にするなど、材質グレードを上げることが考えられる。また、側面部分に別の補強部材を追加するなど、機械的強度を上げることが考えられる。このような、材質のグレードアップや強度のグレードアップは、包装材料のコスト上昇を招いてしまうという問題がある。また、包装材料が増えると廃棄材も増えてしまうという問題がある。
【０００６】
本発明は、このような問題を解決するためになされたもので、材質の向上や補強部材の追加をすることなく、上面部分や底面部分のフラップを粘着テープなどの接合部材で接合することなく封緘することができ、高い強度を有する包装箱を提供することを課題とする。
【課題を解決するための手段】
【０００７】
本発明に係る包装箱は、上記課題を解決するため、折り曲げて形成される複数の側面部と、隣り合う前記側面部同士を接合する少なくとも１つの接合部と、前記各側面部から折り曲げて底面部を形成する底面フラップ部と、前記各側面部から折り曲げて上面部を形成する上面フラップ部と、前記側面部から折り曲げて形成され、前記上面フラップ部の内側且つ当該上面フラップ部と対向する上面内側フラップと、前記側面部から折り曲げて形成され、前記底面フラップ部の内側且つ当該底面フラップ部と対向する底面内側フラップと、前記底面フラップ部または前記上面フラップ部から折り曲げて形成され、前記側面部の外側且つ当該側面部と対向する折曲片と、前記側面部に形成され、前記折曲片を差し込む差込穴と、を備え、前記折曲片により、前記側面部の高さ方向の全域が覆われることを特徴とする。
【発明の効果】
【０００８】
本発明によれば、材質の向上や補強部材の追加をすることなく、材質の向上や補強部材の追加をすることなく、上面部分や底面部分のフラップを粘着テープなどの接合部材で接合することなく封緘することができ、高い強度を有する包装箱を提供することができる。
【図面の簡単な説明】
【０００９】
【図１】本発明の第１実施形態に係る包装箱の全体を示す斜視図である。
【図２】本発明の第１実施形態に係る包装箱を示す側面図である。
【図３】本発明の第１実施形態に係る包装箱の板紙の平面図である。
【図４】本発明の第１実施形態に係る包装箱の全体展開図である。
【図５】本発明の第２実施形態に係る包装箱の全体を示す斜視図である。
【図６】本発明の第２実施形態に係る包装箱を示す側面図である。
【図７】本発明の第２実施形態に係る包装箱の板紙の平面図である。
【図８】本発明の第２実施形態に係る包装箱の全体展開図である。
【発明を実施するための最良の形態】
【００１０】
以下、図面を参照し、本発明の第１実施形態および第２実施形態に係る包装箱ついて説明する。
【００１１】
（第１実施形態）
第１実施形態に係る包装箱１０は、図１および図２に示すように、箱の胴の部分を形成する、前側面部１１、後側面部１２、右側面部１３および左側面部１４からなる側面部と、上面部１５と、底面部１６とを有する六面体で構成されている。
この包装箱１０は、図３に示すように、１枚の板紙Ｐを切り込みおよび切り抜きの加工を施して、図４に示す点線の部分で折り曲げることにより形成される。
また、この包装箱１０は、図３、図４に示すように、接合部１７を有しており、この接合部１７により前側面部１１と左側面部１４とが接着剤などの接合部材により接合されるようになっている。
【００１２】
前側面部１１は、右側面部１３、上面部１５、底面部１６および接合部１７と連接しており、互いに折り曲げて形成されるようになっている。
後側面部１２は、右側面部１３、左側面部１４、上面部１５および底面部１６と連接しており、互いに折り曲げて形成されるようになっている。
右側面部１３は、前側面部１１、後側面部１２、上面部１５および底面部１６と連接しており、互いに折り曲げて形成されるようになっている。右側面部１３は、高さ方向の中央部分に、貫通して形成された差込穴１３ａ、１３ｂを有している。
【００１３】
左側面部１４は、後側面部１２、上面部１５および底面部１６と連接しており、互いに折り曲げて形成されるようになっている。左側面部１４の端部は接合部１７と接合されるようになっている。左側面部１４は、高さ方向の中央部分に、貫通して形成された差込穴１４ａ、１４ｂを有している。
【００１４】
前側面部１１、後側面部１２、右側面部１３および左側面部１４からなる側面部は、高さＨで形成されている。
【００１５】
上面部１５は、右側面部１３に連接する上面内側フラップ２１と、左側面部１４に連接する上面内側フラップ２２とからなる互いに向き合う一対の内側フラップを有している。
また、上面部１５は、前側面部１１に連接する上面外側フラップ２３と、後側面部１２に連接する上面外側フラップ２４とからなる互いに向き合う一対の外側フラップを有している。
第１実施形態の上面部１５の上面内側フラップ２１、２２および上面外側フラップ２３、２４は、本発明に係る包装箱の上面フラップ部を構成している。
【００１６】
上面外側フラップ２３は、右側面部１３方向に突出する折曲片２３ａおよび差込フラップ２３ｂと、左側面部１４方向に突出する折曲片２３ｃおよび差込フラップ２３ｄとを有している。折曲片２３ａ、２３ｃは高さが、前述の高さＨのほぼ半分の高さｈで形成されている。折曲片２３ａ、２３ｃおよび差込フラップ２３ｂ、２３ｄはそれぞれ連接して形成されている。なお、本発明における側面部の高さの半分の長さには、半分だけでなく、ほぼ半分、すなわち半分の長さよりやや大きい寸法およびやや小さい寸法が含まれる。
差込フラップ２３ｂは、差込穴１３ａに差し込まれるようになっており、差込フラップ２３ｄは、差込穴１４ｂに差し込まれるようになっている。
【００１７】
上面外側フラップ２４は、右側面部１３方向に突出する折曲片２４ａおよび差込フラップ２４ｂと、左側面部１４方向に突出する折曲片２４ｃおよび差込フラップ２４ｄとを有している。折曲片２４ａ、２４ｃは高さが、前述の高さＨのほぼ半分の高さｈで形成されている。折曲片２４ａ、２４ｃおよび差込フラップ２４ｂ、２４ｄはそれぞれ連接して形成されている。
差込フラップ２４ｂは、差込穴１３ｂに差し込まれるようになっており、差込フラップ２４ｄは、差込穴１４ａに差し込まれるようになっている。
【００１８】
底面部１６は、右側面部１３に連接する底面内側フラップ２５と、左側面部１４に連接する底面内側フラップ２６とからなる互いに向き合う一対の内側フラップを有している。
また、底面部１６は、前側面部１１に連接する底面外側フラップ２７と、後側面部１２に連接する底面外側フラップ２８とからなる互いに向き合う一対の外側フラップを有している。
【００１９】
底面外側フラップ２７は、右側面部１３方向に突出する折曲片２７ａおよび差込フラップ２７ｂと、左側面部１４方向に突出する折曲片２７ｃおよび差込フラップ２７ｄとを有している。折曲片２７ａ、２７ｃは高さが、前述の高さＨのほぼ半分の高さｈで形成されている。折曲片２７ａ、２７ｃおよび差込フラップ２５ｂ、２５ｄはそれぞれ連接して形成されている。
差込フラップ２７ｂは、差込穴１３ａに差し込まれるようになっており、差込フラップ２７ｄは、差込穴１４ｂに差し込まれるようになっている。
【００２０】
底面外側フラップ２８は、右側面部１３方向に突出する折曲片２８ａおよび差込フラップ２８ｂと、左側面部１４方向に突出する折曲片２８ｃおよび差込フラップ２８ｄとを有している。折曲片２８ａ、２８ｃは高さが、前述の高さＨのほぼ半分の高さｈで形成されている。折曲片２８ａ、２８ｃおよび差込フラップ２８ｂ、２８ｄはそれぞれ連接して形成されている。
差込フラップ２８ｂは、差込穴１３ｂに差し込まれるようになっており、差込フラップ２８ｄは、差込穴１４ａに差し込まれるようになっている。
第１実施形態の底面部１６の底面内側フラップ２５、２６および底面外側フラップ２７、２８は、本発明に係る包装箱の底面フラップ部を構成している。
【００２１】
第１実施形態に係る包装箱１０は、上述のように構成されているので、次のような効果が得られる。
すなわち、第１実施形態に係る包装箱１０は、前側面部１１、後側面部１２、右側面部１３および左側面部１４からなる側面部と、上面部１５と、底面部１６とを有している。
上面部１５は、上面内側フラップ２１、２２および上面外側フラップ２３、２４がそれぞれ重ね合わさる二重構造になっているので、高い機械的強度を有している。また、底面部１６は、上面部１５と同様に、底面内側フラップ２５、２６および底面外側フラップ２７、２８がそれぞれ重ね合わさる二重構造になっているので、高い機械的強度を有している。
さらに、右側面部１３においては、差込フラップ２３ｂが差込穴１３ａに差し込まれて、折曲片２３ａと右側面部１３とが二重構造になっている。また、差込フラップ２４ｂが差込穴１３ｂに差し込まれて、折曲片２４ａと右側面部１３とが二重構造になっている。
また、差込フラップ２７ｂが差込穴１３ａに差し込まれて、折曲片２７ａと右側面部１３とが二重構造になっている。また、差込フラップ２８ｂが差込穴１３ｂに差し込まれて、折曲片２８ａと右側面部１３とが二重構造になっている。
このように右側面部１３は、その高さ方向の全域が折曲片で覆われる二重構造になっているので高い機械的強度が得られる。
さらに、右側面部１３においては、折曲片２３ａと、折曲片２７ａとが上下方向で突き当てられるとともに、折曲片２４ａと、折曲片２８ａとが上下方向で突き当てられているので、上下方向に加わる荷重などの外力に対して高い機械的強度が得られる。
【００２２】
また、左側面部１４においては、差込フラップ２４ｄが差込穴１４ａに差し込まれて、折曲片２４ｃと左側面部１４とが二重構造になっている。また、差込フラップ２３ｄが差込穴１４ｂに差し込まれて、折曲片２３ｃと左側面部１４とが二重構造になっている。
また、差込フラップ２８ｄが差込穴１４ａに差し込まれて、折曲片２８ｃと左側面部１４とが二重構造になっている。また、差込フラップ２７ｄが差込穴１４ｂに差し込まれて、折曲片２７ｃと左側面部１４とが二重構造になっている。
このように左側面部１４も、右側面部１３と同様に、その高さ方向の全域が折曲片で覆われる二重構造になっているので高い機械的強度が得られる。
また、左側面部１４においても、折曲片２４ｃと、折曲片２８ｃとが上下方向で突き当てられているとともに、折曲片２３ｃと、折曲片２７ｃとが上下方向で突き当てられているので、包装箱１０を積み重ねた場合などの上下方向の荷重に対して高い機械的強度が得られる。
【００２３】
したがって、第１実施形態に係る包装箱１０は、材質の向上や補強部材の追加をすることなく、機械的強度を向上させることができるという効果が得られる。また、右側面部１３および左側面部１４が差込フラップを差込穴に差し込んで組み立てられる構造となっているので、上面や底面部分のフラップを粘着テープなどの接合部材で接合することなく簡単に封緘することができるという効果が得られる。
【００２４】
第１実施形態に係る包装箱１０においては、右側面部１３の前側面部１１側の折曲片２３ａ、２７ａを高さＨのほぼ半分の高さｈで形成するとともに、差込穴１３ａを高さ方向の中央部分に形成した場合について説明した。
しかしながら、本発明に係る包装箱においては、折曲片２３ａ、２７ａおよび差込穴１３ａと異なる形状の構造で構成するようにしてもよい。
例えば、折曲片２３ａ、２７ａに相当する折曲片の高さを異なる高さで形成するとともに、差込穴１３ａに相当する差込穴を中央部分からいずれか一方に偏らせた位置に設ける構造で構成するようにしてもよい。この場合においても、第１実施形態に係る包装箱１０における効果と同様の効果が得られる。すなわち、折曲片２３ａ、２７ａに相当する折曲片同士が上下方向で突き当てられているので、上下方向の荷重に対して高い機械的強度が得られる。
また、右側面部１３の前側面部１１側の折曲片および差込穴だけでなく、右側面部１３の後側面部１２側の折曲片および差込穴や、左側面部１４の前側面部１１側や後側面部１２側の折曲片および差込穴も同様に異なる高さおよび一方に偏らせた位置の構造で構成するようにしてもよい。
【００２５】
（第２実施形態）
第２実施形態に係る包装箱２０は、図５および図６に示すように、箱の胴の部分を形成する、前側面部３１、後側面部３２、右側面部３３および左側面部３４からなる側面部と、上面部３５と、底面部３６とを有する六面体で構成されている。
この包装箱２０は、図７に示すように、１枚の板紙Ｐを切り込みおよび切り抜きの加工を施して、図８示す点線の部分で折り曲げることにより形成される。
また、この包装箱２０は、図７、図８に示すように、接合部３７を有しており、この接合部３７により前側面部３１と左側面部３４とが接着剤などの接合部材により接合されるようになっている。
【００２６】
前側面部３１は、右側面部３３、上面部３５、底面部３６および接合部３７と連接しており、互いに折り曲げて形成されるようになっている。
後側面部３２は、右側面部３３、左側面部３４、上面部３５および底面部３６と連接しており、互いに折り曲げて形成されるようになっている。
右側面部３３は、前側面部３１、後側面部３２、上面部３５および底面部３６と連接しており、互いに折り曲げて形成されるようになっている。右側面部３３は、高さ方向の端部分に、貫通して形成された差込穴３３ａ、３３ｂ、３３ｃ、３３ｄを有している。
【００２７】
左側面部３４は、後側面部３２、上面部３５および底面部３６と連接しており、互いに折り曲げて形成されるようになっている。左側面部３４の端部は接合部３７と接合されるようになっている。左側面部３４は、高さ方向の端部に、貫通して形成された差込穴３４ａ、３４ｂ、３４ｃ、３４ｄを有している。
【００２８】
前側面部３１、後側面部３２、右側面部３３および左側面部３４からなる側面部は、高さＨで形成されている。
【００２９】
上面部３５は、右側面部３３に連接する上面内側フラップ４１と、左側面部３４に連接する上面内側フラップ４２とからなる互いに向き合う一対の内側フラップを有している。
また、上面部３５は、前側面部３１に連接する上面外側フラップ４３と、後側面部３２に連接する上面外側フラップ４４とからなる互いに向き合う一対の外側フラップを有している。
第２実施形態の上面部３５の上面内側フラップ４１、４２および上面外側フラップ４３、４４は、本発明に係る包装箱の上面フラップ部を構成している。
【００３０】
上面外側フラップ４３は、右側面部３３方向に突出する折曲片４３ａおよび差込フラップ４３ｂと、左側面部３４方向に突出する折曲片４３ｃおよび差込フラップ４３ｄとを有している。折曲片４３ａ、４３ｃは高さが、前述の高さＨとほぼ同じ高さＨで形成されている。折曲片４３ａ、４３ｃおよび差込フラップ４３ｂ、４３ｄはそれぞれ連接して形成されている。なお、本発明における側面部の高さと同じ長さには、同一の長さだけでなく、ほぼ同一、すなわち同一の長さよりやや大きい寸法およびやや小さい寸法が含まれる。
差込フラップ４３ｂは、差込穴３３ｃに差し込まれるようになっており、差込フラップ４３ｄは、差込穴３４ｄに差し込まれるようになっている。
【００３１】
上面外側フラップ４４は、右側面部３３方向に突出する折曲片４４ａおよび差込フラップ４４ｂと、左側面部３４方向に突出する折曲片４４ｃおよび差込フラップ４４ｄとを有している。折曲片４４ａ、４４ｃは高さが、前述の高さＨとほぼ同じ高さＨで形成されている。折曲片４４ａ、４４ｃおよび差込フラップ４４ｂ、４４ｄはそれぞれ連接して形成されている。
差込フラップ４４ｂは、差込穴３３ｄに差し込まれるようになっており、差込フラップ４４ｄは、差込穴３４ｃに差し込まれるようになっている。
【００３２】
底面部３６は、右側面部３３に連接する底面内側フラップ４５と、左側面部３４に連接する底面内側フラップ４６とからなる互いに向き合う一対の内側フラップを有している。
また、底面部３６は、前側面部３１に連接する底面外側フラップ４７と、後側面部３２に連接する底面外側フラップ４８とからなる互いに向き合う一対の外側フラップを有している。
【００３３】
底面外側フラップ４７は、右側面部３３方向に突出する折曲片４７ａおよび差込フラップ４７ｂと、左側面部３４方向に突出する折曲片４７ｃおよび差込フラップ４７ｄとを有している。折曲片４７ａ、４７ｃは高さが、前述の高さＨとほぼ同じ高さＨで形成されている。折曲片４７ａ、４７ｃおよび差込フラップ４５ｂ、４５ｄはそれぞれ連接して形成されている。
折曲片４７ａには、差込穴４７ａｈが形成されており、差込穴４７ａｈには、差込フラップ４３ｂが差し込まれるようになっている。
折曲片４７ｃには、差込穴４７ｃｈが形成されており、差込穴４７ｃｈには、差込フラップ４３ｄが差し込まれるようになっている。
差込フラップ４７ｂは、差込穴３３ａに差し込まれるようになっており、差込フラップ４７ｄは、差込穴３４ｂに差し込まれるようになっている。
【００３４】
底面外側フラップ４８は、右側面部３３方向に突出する折曲片４８ａおよび差込フラップ４８ｂと、左側面部３４方向に突出する折曲片４８ｃおよび差込フラップ４８ｄとを有している。折曲片４８ａ、４８ｃは高さが、前述の高さＨとほぼ同じ高さＨで形成されている。折曲片４８ａ、４８ｃおよび差込フラップ４８ｂ、４８ｄはそれぞれ連接して形成されている。
折曲片４８ａには、差込穴４８ａｈが形成されており、差込穴４８ａｈには、差込フラップ４４ｂが差し込まれるようになっている。
折曲片４８ｃには、差込穴４８ｃｈが形成されており、差込穴４８ｃｈには、差込フラップ４４ｄが差し込まれるようになっている。
差込フラップ４８ｂは、差込穴３３ｂに差し込まれるようになっており、差込フラップ４８ｄは、差込穴３４ａに差し込まれるようになっている。
第２実施形態の底面部３６の底面内側フラップ４５、４６および底面外側フラップ４７、４８は、本発明に係る包装箱の底面フラップ部を構成している。
【００３５】
第２実施形態に係る包装箱２０は、上述のように構成されているので、次のような効果が得られる。
すなわち、第２実施形態に係る包装箱２０は、前側面部３１、後側面部３２、右側面部３３および左側面部３４からなる側面部と、上面部３５と、底面部３６とを有している。
上面部３５は、上面内側フラップ４１、４２および上面外側フラップ４３、４４がそれぞれ重ね合わさる二重構造になっているので、高い機械的強度を有している。また、底面部３６は、上面部３５と同様に、底面内側フラップ４５、４６および底面外側フラップ４７、４８がそれぞれ重ね合わさる二重構造になっているので、高い機械的強度を有している。
さらに、右側面部３３においては、差込フラップ４７ｂが差込穴３３ａに差し込まれるとともに、その上に、差込フラップ４３ｂが差込穴４７ａｈおよび差込穴３３ｂに差し込まれ、折曲片４３ａと折曲片４７ａと右側面部３３とが三重構造になっている。また、差込フラップ４８ｂが差込穴３３ｂに差し込まれるとともに、その上に、差込フラップ４４ａが差込穴４８ａｈおよび差込穴３３ｄに差し込まれ、折曲片４４ａと折曲片４８ａと右側面部３３とが三重構造になっている。
このように右側面部３３は、その高さ方向の全域が折曲片で覆われる三重構造になっているので高い機械的強度が得られる。
【００３６】
また、左側面部３４においては、差込フラップ４８ｄが差込穴３４ａに差し込まれるとともに、その上に、差込フラップ４４ｄが差込穴４８ｃｈおよび差込穴３４ｃに差し込まれて、折曲片４４ｃと折曲片４８ｃと左側面部３４とが三重構造になっている。また、差込フラップ４７ｄが差込穴３４ｂに差し込まれるとともに、その上に、差込フラップ４３ｄが差込穴４７ｃｈおよび差込穴３４ｄに差し込まれて、折曲片４７ｃと折曲片４３ｃと左側面部３４とが三重構造になっている。
このように左側面部３４も、右側面部３３と同様に、その高さ方向の全域が折曲片で覆われる三重構造になっているので高い機械的強度が得られる。
【００３７】
したがって、第２実施形態に係る包装箱２０は、材質の向上や補強部材の追加をすることなく、機械的強度を向上させることができるという効果が得られる。また、右側面部３３および左側面部３４が差込フラップを差込穴に差し込んで組み立てられる構造となっているので、上面や底面部分のフラップを粘着テープなどの接合部材で接合することなく簡単に封緘することができるという効果が得られる。
【００３８】
第２実施形態に係る包装箱２０においては、右側面部３３の前側面部３１側の折曲片４３ａ、４７ａを、右側面部３３および折曲片４３ａ、４７ａが重なる三重構造で構成した場合について説明した。
しかしながら、本発明に係る包装箱においては、右側面部３３および折曲片４３ａ、４７ａが重なる三重構造以外の構造で構成するようにしてもよい。
例えば、折曲片４３ａ、４７ａのいずれか一方のみで形成し、すなわち折曲片４３ａ、４７ａのいずれか一方を無くして、右側面部３３および折曲片４３ａ、４７ａのいずれか一方が重なる二重構造で構成するようにしてもよい。この場合においても、第２実施形態に係る包装箱２０における効果とほぼ同様の効果が得られる。すなわち、右側面部３３および折曲片４３ａ、４７ａのいずれか一方が重なる二重構造で右側面部３３が構成されているので、高い機械的強度が得られる。
また、右側面部３３の前側面部３１側の折曲片だけでなく、右側面部３３の後側面部３２側の折曲片や、左側面部３４の前側面部３１側や後側面部３２側の折曲片も同様に折曲片のいずれか一方が重なる二重構造で構成するようにしてもよい。
【００３９】
第１実施形態に係る包装箱１０においては、側面部を前側面部１１、後側面部１２、右側面部１３および左側面部１４の４つで構成し、第２実施形態に係る包装箱２０においても、側面部を前側面部３１、後側面部３２、右側面部３３および左側面部３４の４つで構成した場合について説明した。
しかしながら、本発明に係る包装箱においては、側面部を４つ以外の複数で構成するようにしてもよい。例えば、３つの側面部や５つ以上の側面部を有するもので構成するようにしてもよい。
【符号の説明】
【００４０】
１０、２０  包装箱
１１、３１  前側面部（側面部）
１２、３２  後側面部（側面部）
１３、３３  右側面部（側面部）
１３ａ、１３ｂ、１４ａ、１４ｂ、３３ａ、３３ｂ、３３ｃ、３３ｄ、３４ａ、３４ｂ、３４ｃ、３４ｄ、４７ａｈ、４７ｃｈ、４８ａｈ、４８ｃｈ  差込穴
１４、３４  左側面部（側面部）
１５、３５  上面部
１６、３６  底面部
１７、３７  接合部
２１、２２、４１、４２  上面内側フラップ（上面フラップ部、内側フラップ）
２３、２４、４３、４４  上面外側フラップ（上面フラップ部、外側フラップ）
２５、２６、４５、４６  底面内側フラップ（底面フラップ部、内側フラップ）
２７、２８、４７、４８  底面外側フラップ（底面フラップ部、外側フラップ）
２３ａ、２３ｃ、２４ａ、２４ｃ、２７ａ、２７ｃ、２８ａ、２８ｃ、４３ａ、４３ｃ、４４ａ、４４ｃ、４７ａ、４７ｃ、４８ａ、４８ｃ  折曲片
２３ｂ、２３ｄ、２４ｂ、２４ｄ、２５ｂ、２５ｄ、２７ｂ、２７ｄ、２８ｂ、２８ｄ、４３ｂ、４３ｄ、４４ｂ、４４ｄ、４５ｂ、４５ｄ、４７ｂ、４７ｄ、４８ｂ、４８ｄ、  差込フラップ（折曲片）
ｈ、Ｈ  高さ（長さ）
【先行技術文献】
【特許文献】
【００４１】
【特許文献１】特開２００５−２７１９８９号公報
【特許文献２】実用新案登録３０９２７５４号公報
【特許文献３】実用新案登録３０５２１３４号公報
【特許文献４】実開平０７−０１５５２４号公報
【特許文献５】登録実用新案２５９４９５４号公報
【特許文献６】実開平０５−００３１１８号公報
【図１】
2013237475.tif 000003
【図２】
2013237475.tif 000004
【図３】
2013237475.tif 000005
【図４】
2013237475.tif 000006
【図５】
2013237475.tif 000007
【図６】
2013237475.tif 000008
【図７】
2013237475.tif 000009
【図８】
2013237475.tif 000010